(57)【要約】【課題】異なる種類のＬＥＤ光源を有するＬＥＤユニットにおいて各ＬＥＤ光源間のパターン配線を短くできるＬＥＤユニットおよび照明器具を提供する。【解決手段】種類が異なる第１のＬＥＤ光源３７Ａと第２のＬＥＤ光源３７Ｂとを有するＬＥＤユニット３０において、複数の第１のＬＥＤ光源３７Ａを直列に接続するとともに複数の第２のＬＥＤ光源３７Ｂを第１のＬＥＤ光源３７Ａとは別系統で直列に接続する。そして、偶数の第１のＬＥＤ光源３７Ａと偶数の第２のＬＥＤ光源３７Ｂとを交互に配置したので、ＬＥＤ基板３６におけるパターン配線を短くして接続できる。また、チップジャンパー抵抗等の部品も削減できるので、コストアップを回避できる。さらに、ＬＥＤ基板３６として両面基板を用いる必要がないので、ＬＥＤ基板３７の実装面と反対側面を放熱に利用できる。【選択図】図９
2012169245.tif 000002
【特許請求の範囲】
【請求項１】
複数の第１のＬＥＤ光源と、
前記第１のＬＥＤ光源とは異なる種類の複数の第２のＬＥＤ光源と、
前記第１のＬＥＤ光源および前記第２のＬＥＤ光源を実装するＬＥＤ基板と、を有し、
前記複数の第１のＬＥＤ光源を直列に接続し、
前記複数の第２のＬＥＤ光源を前記第１のＬＥＤ光源とは別系統で直列に接続し、
偶数の前記第１のＬＥＤ光源と偶数の前記第２のＬＥＤ光源とを交互に配置したＬＥＤユニット。
【請求項２】
複数の第１のＬＥＤ光源と、
前記第１のＬＥＤ光源とは異なる種類の複数の第２のＬＥＤ光源と、
前記第１のＬＥＤ光源および前記第２のＬＥＤ光源を実装するＬＥＤ基板と、を有し、
前記複数の第１のＬＥＤ光源を直列に接続し、
前記複数の第２のＬＥＤ光源を前記第１のＬＥＤ光源とは別系統で直列に接続し、
奇数または偶数の前記第１のＬＥＤ光源と奇数または偶数の前記第２のＬＥＤ光源とを交互に配置したＬＥＤユニット。
【請求項３】
請求項１または請求項２に記載のＬＥＤユニットにおいて、
端部には、その隣に配設されたＬＥＤとは異なる種類のＬＥＤが配設されるＬＥＤユニット。
【請求項４】
請求項１ないし請求項３のうちのいずれか１項に記載のＬＥＤユニットにおいて、
前記第１のＬＥＤ光源と前記第２のＬＥＤ光源とが，個別に制御可能であるＬＥＤユニット。
【請求項５】
請求項１ないし請求項４のうちのいずれか１項に記載のＬＥＤユニットにおいて、
前記第１のＬＥＤ光源および前記第２のＬＥＤ光源が、クランク状に配線されているＬＥＤユニット。
【請求項６】
請求項１ないし請求項５のうちのいずれか１項に記載のＬＥＤユニットを用いた照明器具。
【発明の詳細な説明】
【技術分野】
【０００１】
本発明は、ＬＥＤ光源を用いたＬＥＤユニットおよびこのＬＥＤユニットを用いた照明器具に関するものである。
【背景技術】
【０００２】
従来より、ＬＥＤ光源を有するＬＥＤユニットが用いられている（例えば、特許文献１参照）。
図１６（Ｂ）および（Ｃ）に示すように、特許文献１に記載の照明器具１００は、色温度の低いＬＥＤとしての黄色ＬＥＤ１０１（図１６（Ａ）参照）と、色温度の高いＬＥＤとしての青色ＬＥＤ１０２（図１６（Ａ）参照）とを１対１の組として配設する。そして、青色ＬＥＤ１０２と黄色ＬＥＤ１０１からの混色した光を外部に照射する際に、青色ＬＥＤ１０２の明るさを変化させる（駆動電流を変化させる）ことで、照射する光の色温度が変化するようになっている。
なお、青色ＬＥＤ１０２と黄色ＬＥＤ１０１とが実装されている回路基材１０３は、実装された多数のＬＥＤに電流を印加するための配線と、黄色ＬＥＤ１０１は電流一定とし、青色ＬＥＤ１０２の電流値を任意に変化させることが可能な電源回路とを有する。
【０００３】
図１６（Ｂ）に例示した照明器具１００では、５個一列の黄色ＬＥＤ１０１と５個一列の青色ＬＥＤ１０２とを、黄色−青色−青色−黄色の列配置で並べた構造である。
また、図１６（Ｃ）に例示した照明器具１０４では、黄色ＬＥＤ１０１と青色ＬＥＤ１０２とを四角形枠上に沿って交互に合計８個並べた構造である。これにより、黄色光と青色光の混色光が出力されるようになっている。
【先行技術文献】
【特許文献】
【０００４】
【特許文献１】特開２００７−２６５８１８号公報（第２図）
【発明の概要】
【発明が解決しようとする課題】
【０００５】
しかしながら、前述した特許文献１に記載の照明器具１００においては、色が異なるＬＥＤ１０１，１０２を、列ごとに，あるいは、１個ずつ交互に配列しているため、ＬＥＤ１０１，１０２への配線を行う場合、配線パターンが長くなるという問題があった。
また、ＬＥＤ１０１，１０２間の配線パターンの引き回しのため，ジャンパー抵抗の追加や、基板を両面基板にすることなどが必要となり、コストアップを招くという問題があった。
【０００６】
本発明は、従来の問題を解決するためになされたもので、異なる種類のＬＥＤ光源を有するＬＥＤユニットにおいて各ＬＥＤ光源間のパターン配線を短くできるＬＥＤユニットおよび照明器具を提供することを目的とする。
【課題を解決するための手段】
【０００７】
本発明のＬＥＤユニットは、複数の第１のＬＥＤ光源と、前記第１のＬＥＤ光源とは異なる種類の複数の第２のＬＥＤ光源と、前記第１のＬＥＤ光源および前記第２のＬＥＤ光源を実装するＬＥＤ基板と、を有し、前記複数の第１のＬＥＤ光源を直列に接続し、前記複数の第２のＬＥＤ光源を前記第１のＬＥＤ光源とは別系統で直列に接続し、偶数の前記第１のＬＥＤ光源と偶数の前記第２のＬＥＤ光源とを交互に配置したものである。
【０００８】
また、本発明のＬＥＤユニットは、複数の第１のＬＥＤ光源と、前記第１のＬＥＤ光源とは異なる種類の複数の第２のＬＥＤ光源と、前記第１のＬＥＤ光源および前記第２のＬＥＤ光源を実装するＬＥＤ基板と、を有し、前記複数の第１のＬＥＤ光源を直列に接続し、前記複数の第２のＬＥＤ光源を前記第１のＬＥＤ光源とは別系統で直列に接続し、奇数または偶数の前記第１のＬＥＤ光源と奇数または偶数の前記第２のＬＥＤ光源とを交互に配置したものである。
【０００９】
また、本発明のＬＥＤユニットは、端部には、その隣に配設されたＬＥＤ光源とは異なる種類のＬＥＤ光源が配設されたものである。
【００１０】
また、本発明のＬＥＤユニットは、前記第１のＬＥＤ光源と前記第２のＬＥＤ光源とが，個別に制御可能であるものである。
【００１１】
また、本発明のＬＥＤユニットは、前記第１のＬＥＤ光源および前記第２のＬＥＤ光源が、クランク状に配線されているものである。
【００１２】
さらに、本発明の照明器具は、前述したＬＥＤユニットを用いたものである。
【発明の効果】
【００１３】
本発明は、種類が異なる第１のＬＥＤ光源と第２のＬＥＤ光源とを有するＬＥＤユニットにおいて、複数の第１のＬＥＤ光源を直列に接続するとともに複数の第２のＬＥＤ光源を第１のＬＥＤ光源とは別系統で直列に接続する。そして、偶数の第１のＬＥＤ光源と偶数の第２のＬＥＤ光源とを交互に配置したので、ＬＥＤ基板におけるパターン配線を短くして接続できるという効果を有するＬＥＤユニットおよび照明器具を提供できる。
【図面の簡単な説明】
【００１４】
【図１】本発明に係る第１実施形態の照明器具を下方から見た全体斜視図
【図２】本発明に係る第１実施形態の照明器具を下方から見た分解斜視図
【図３】本発明に係る第１実施形態の照明器具の中心を通る断面図
【図４】本発明に係る第１実施形態の照明器具を上方から見た平面図
【図５】（Ａ）はＬＥＤユニットを前方上側から見た全体斜視図であり、（Ｂ）はＬＥＤユニットを後方下側から見た全体斜視図
【図６】（Ａ）はＬＥＤユニットを前方上側から見た分解斜視図であり、（Ｂ）はＬＥＤユニットを後方下側から見た分解斜視図
【図７】（Ａ）はＬＥＤユニットの取付け位置を示す斜視図であり、（Ｂ）はＬＥＤユニットを取り付けた状態を示す拡大斜視図
【図８】（Ａ）はＬＥＤユニットの斜視図であり、（Ｂ）は電線の接続状態を示す拡大斜視図
【図９】異なる２種類のＬＥＤ光源の配置を示すＬＥＤ基板の平面図
【図１０】（Ａ）は投光部材を上方から見た平面図であり、（Ｂ）は（Ａ）中Ｂ部分の拡大図
【図１１】（Ａ）はＬＥＤユニットを前方から見た透視図であり、（Ｂ）は（Ａ）中Ｂ部分の拡大図
【図１２】光の照射状態を示す説明図
【図１３】本発明に係る第２実施形態の照明器具における異なる２種類のＬＥＤ光源の配置を示すＬＥＤ基板の平面図
【図１４】ロアーユニットにおけるＬＥＤ光源の配置および接続の一例を示すＬＥＤ基板の平面図
【図１５】ロアーユニットにおけるＬＥＤ光源の配置および接続の別の例を示すＬＥＤ基板の平面図
【図１６】（Ａ）はＬＥＤの斜視図および回路図であり、（Ｂ）は照明器具の斜視図であり、（Ｃ）は別の照明器具の斜視図
【発明を実施するための形態】
【００１５】
（第１実施形態）
以下、本発明に係る第１実施形態の照明器具について、図面を用いて説明する。
なお、以下の説明においては、照明器具を被取付面である天井面に取り付けて下方を照明する場合について説明する。従って、特に示す場合を除き、上（上方、上側等）は天井面側を意味し、下（下方，下側等）は床面側を意味する。
【００１６】
図１に示すように、本発明に係る第１実施形態の照明器具１０は、被取付面である天井面１１等に取り付けられて主に下方を照明するのに適する。
図２および図３に示すように、照明器具１０は、天井面１１に取り付けられている引っ掛けシーリング１２に取り付けるための取付金具２１を中央に有する例えば正方形の板状の器具本体２０を有する。
【００１７】
器具本体２０の上側（すなわち、天井面１１側）には、ＬＥＤユニット３０であるアッパーユニット３０Ａ、上枠２３および上パネル２２が設けられている。また、器具本体２０の下側（すなわち、照明方向側）には、ＬＥＤユニット３０であるロアーユニット３０Ｂ、反射部材である反射板２４が設けられており、反射板２４の下方には、受けた光を拡散する透光性のパネル２５が取り付けられる。
【００１８】
次に、アッパーユニット３０Ａおよびロアーユニット３０Ｂに用いられるＬＥＤユニット３０について説明する。
なお、以下においては、特にアッパーユニット３０Ａおよびロアーユニット３０Ｂを区別する場合を除き、ＬＥＤユニット３０として説明する。
図４に示すように、アッパーユニット３０Ａは、器具本体２０の上側において、四方外向きに設けられている。また、ロアーユニット３０Ｂは、器具本体２０の下側において、２カ所に設けられており、内側へ光を照射するようになっている。
【００１９】
図５および図６に示すように、ＬＥＤユニット３０は、細長い矩形箱状のケース３３を有する。
ケース３３は、照射方向後方（以後、「後方」という。）に配置される矩形板状のＬＥＤユニット本体３１と、照射方向前方（以後、「前方」という。）に配置される矩形箱状の投光部材３２とで構成される。
【００２０】
ＬＥＤユニット本体３１は、下端から前方に突出片３１１が設けられており、全体として断面Ｌ字形状を呈している。ＬＥＤユニット本体３１の後面および突出片３１１の上面には、各々放熱用のフィン３１２，３１３が設けられている。
また、突出片３１１の下面中央には、ＬＥＤユニット３０の位置決めを行う位置決め突起３１５が設けられる。
【００２１】
ＬＥＤユニット本体３１の前面には、放熱板としての放熱シート３５が設けられ、放熱シート３５の前面にＬＥＤ基板３６が配設される。
ＬＥＤ基板３６の前面である実装面３６１には、多数のＬＥＤ光源３７が実装される。また、実装面３６１においてＬＥＤ光源３７の外側である長手方向両端部には、電気配線３４が接続されて電力の供給を受けるコネクタ３８が取り付けられる。
【００２２】
従って、ＬＥＤ基板３６は、放熱シート３５を介してＬＥＤユニット本体３１に接触して放熱経路を形成しており、ＬＥＤ光源３７が発した熱は、ＬＥＤ基板３６から放熱シート３５を介してＬＥＤユニット本体３１に伝達される。そして、ＬＥＤユニット本体３１背面のフィン３１２および突出片３１１の上面のフィン３１３から放熱される。また、熱は、突出片３１１を介して器具本体２０に伝達されて、放熱される。
これにより、ＬＥＤ光源３７が発した熱を効率的に放熱できるので、ＬＥＤユニット３０の寿命を大幅に延ばすことができる。
【００２３】
図９に示すように、ＬＥＤ基板３６の実装面３６１には、種類が異なる複数の第１のＬＥＤ光源３７Ａと複数の第２のＬＥＤ光源３７Ｂが実装されている。なお、２種類のＬＥＤ光源３７Ａ、３７Ｂを総称する際には、「ＬＥＤ光源３７」と表示する。
複数の第１のＬＥＤ光源３７Ａは、第１の回路３９Ａにより直列に接続されており、複数の第２のＬＥＤ光源３７Ｂは、第１のＬＥＤ光源３７Ａとは別系統で、第２の回路３９Ｂにより直列に接続されている。
従って、第１のＬＥＤ光源３７Ａと第２のＬＥＤ光源３７Ｂは、個別に制御可能となっている。
また、第１の回路３９Ａと第２の回路３９Ｂとは別個であり、例えば、クランク状に配線することができる。このとき、第１の回路３９Ａおよび第２の回路３９Ｂのクランク形状が、平行となるように配線する。
【００２４】
第１のＬＥＤ光源３７Ａと第２のＬＥＤ光源３７Ｂは、各々偶数個（ここでは、例えば２個）をひとかたまりとして、交互に配置されている。そして、端部においては、その隣（内側）に配設されたＬＥＤ光源３７とは異なる種類のＬＥＤ光源３７が配設される。
例えば、図９中、左端部では、端部に第１のＬＥＤ光源３７Ａが配設されているので、その右隣には、異なる種類の第２のＬＥＤ光源３７Ｂが配設される。
また、図９中、右端部では、端部に第２のＬＥＤ光源３７Ｂが配設されているので、その左隣には、異なる種類の第１のＬＥＤ光源３７Ａが配設される。
なお、左端部と右端部を同じＬＥＤ光源３７を配設することも可能である。
【００２５】
図６に示すように、前面にＬＥＤ光源３７を実装したＬＥＤ基板３６の前方には、ＬＥＤユニット本体３１とともにケース３３を構成する投光部材３２が取り付けられる。投光部材３２は、難燃性の樹脂で形成され、後方が開口した箱状部材である。
投光部材３２の前壁３２１は透光性のレンズであり、内部にＬＥＤ基板３６を収容して、後方の開口にＬＥＤユニット本体３１をねじ３０１で固定して蓋がされる。
【００２６】
図６および図８（Ａ）に示すように、投光部材３２の下面３２２における長手方向両端部には、電気配線３４をケース３３内部に引き込むための電線引き込み部３２３を各々有する。
電線引き込み部３２３を通ってケース３３内部に引き込まれた電気配線３４は、ＬＥＤ基板３６の実装面３６１に取り付けられているコネクタ３８に接続される。
【００２７】
図１０に示すように、投光部材３２の前壁３２１の内面における長手方向両端部には、光拡散部３２４が設けられている。光拡散部３２４では、前壁３２１の内面に上下方向に延びる複数の山型形状の凹凸３２５が設けられている。
図１１に示すように、光拡散部３２４は、投光部材３２の端部から、コネクタ３８および少なくとも端部のＬＥＤ光源３７の前方領域まで設ける。
【００２８】
さらに、光拡散部３２４は、第１のＬＥＤ光源３７Ａおよび第２のＬＥＤ光源３７Ｂの両方が少なくとも一つずつ含まれるように設けるのが望ましい。
例えば、図１１（Ｂ）では、光拡散部３２４は、端部に設けられている第１のＬＥＤ光源３７Ａと、この第１のＬＥＤ光源３７Ａに隣接し、種類が異なる２個の第２のＬＥＤ光源３７Ｂのうちの一つを含むように設けられている。
【００２９】
このように構成されるＬＥＤユニット３０は、図７に示すように、ＬＥＤユニット３０を器具本体２０に取り付ける際には、ＬＥＤユニット本体３１の突出片３１１下面の位置決め突起３１５を、器具本体２０に設けられている位置決め孔２０１に嵌合させて、取付ねじ２６により着脱可能に取り付ける。このため、ＬＥＤユニット３０の位置決めを，容易に，確実に行うことができる。
【００３０】
図２および図３に示したように、ロアーユニット３０Ｂの下方には、パネル２５が着脱可能に取り付けられる。パネル２５は、照射された光を拡散するものであり、複数箇所に、光透過率が低いパネルカバー２５１が設けられている。
例えば、パネルカバー２５１は、パネル２５において器具本体２０の中心に対して対称な端部付近の対向する２辺に沿って設けられている。また、パネルカバー２５１は、ロアーユニット３０Ｂが設けられている位置に対応して設けられている。
【００３１】
また、パネルカバー２５１は、第１の孔２５２および第２の孔２５３を有し、内側には、明るさセンサ、人感センサ、熱センサ、信号送信装置からの信号を受信するための受信センサのうちの少なくとも一つが配設することができる。
【００３２】
図１２に示すように、上述したＬＥＤユニット３０を用いた照明器具１０では、器具本体２０の下側に設けられているロアーユニット３０Ｂから照明器具１０の内部に向かって発せられた光Ｌ１は、反射板２４で下方に反射してパネル２５に入射して拡散する。これにより、パネル２５全体が光源となって下方を照明する。
一方、器具本体２０の上側に設けられているアッパーユニット３０Ａから照明器具１０の外側へ発せられた光Ｌ２は、一部は天井面１１と平行に照射されて、壁面Ｗを照明する。また、一部は上方へ照射されて天井面１１に当たり、下方へ反射して壁面Ｗを照明する。さらに、一部は下方へ照射されて照明器具１０の上枠２３に当たって上方へ反射し，天井面１１を照明する。あるいは、さらに天井面１１で反射して壁面Ｗを照明する。
【００３３】
以上、説明した本発明に係る第１実施形態のＬＥＤユニット３０によれば、ＬＥＤ光源３７を収容するケース３３からＬＥＤ光源３７の前方に突出する突出片３１１を設け、この突出片３１１を器具本体２０に着脱可能に取り付けたので、ＬＥＤユニット３０を容易に交換することができる。
【００３４】
また、ＬＥＤ光源３７と突出片３１１との間に放熱板を有するとともに、突出片３１１が、ＬＥＤ光源３７が発した熱を放熱面積が大きな器具本体２０に伝達するので、放熱性能が向上する。
【００３５】
また、突出片３１１と同じ方向に、電気配線３４をケース３３内部に引き込む電線引き込み部３２３を設けたので、ＬＥＤユニット３０の下方の無駄なスペースを配線に使用することができる。
【００３６】
さらに、本発明に係る第１実施形態の照明器具１０は、前述したＬＥＤユニット３０を器具本体２０に取り付けたものなので、ＬＥＤユニット３０を容易に交換することができる。
【００３７】
また、本発明に係る第１実施形態のＬＥＤユニット３０によれば、種類が異なる第１のＬＥＤ光源３７Ａと第２のＬＥＤ光源３７Ｂとを有するＬＥＤユニット３０において、複数の第１のＬＥＤ光源３７Ａを直列に接続するとともに複数の第２のＬＥＤ光源３７Ｂを第１のＬＥＤ光源３７Ａとは別系統で直列に接続する。そして、偶数の第１のＬＥＤ光源３７Ａと偶数の第２のＬＥＤ光源３７Ｂとを交互に配置したので、ＬＥＤ基板３６におけるパターン配線を短くして接続できる。
また、チップジャンパー抵抗等の部品も削減できるので、コストアップを回避できる。
さらに、ＬＥＤ基板３６として（プリント）基板の表裏両面をパターン印刷に用いる必要がないので、ＬＥＤ基板３６の実装面と反対側面を放熱に利用できる。
【００３８】
また、ＬＥＤユニット３０の端部では、異なる種類のＬＥＤが隣接して配設されるので、複数の光色を有するＬＥＤを同時に点灯させた際に、複数の光色がきれいに混ざる。
【００３９】
また、異なる種類の第１のＬＥＤ光源３７Ａと第２のＬＥＤ光源３７Ｂとが，個別に制御可能であるので、調光および調色が容易である。
【００４０】
また、異なる種類の第１のＬＥＤ光源３７Ａおよび第２のＬＥＤ光源３７Ｂが、クランク状に配線されているので、配線がすっきりしており、配線のパターン設計が容易である。また、配線の長さが等しくなるので、制御が容易である。
【００４１】
さらに、本発明に係る第１実施形態の照明器具１０は、前述したＬＥＤユニット３０を用いるので、ＬＥＤ基板３６におけるパターン配線を短くして接続でき、また、チップジャンパー抵抗等の部品も削減できるので、コストダウンを図ることができる。
また、ＬＥＤユニット３０において、ＬＥＤ基板３６として両面基板を用いる必要がないので、ＬＥＤ基板３６の実装面とは反対側面を放熱に利用でき、ＬＥＤユニット３０の長寿命化を図り、照明器具の長寿命化を図ることができる。
【００４２】
また、本発明に係る第１実施形態のＬＥＤユニット３０によればコネクタ３８および複数のＬＥＤ光源３７をＬＥＤ基板３６の同じ側面に実装するとともに、コネクタ３８を複数のＬＥＤ光源３７の外側に配設したので、ＬＥＤユニット３０の薄型化を図ることができるとともに、幅方向の寸法を小さくできる。
また、ＬＥＤ光源３７の前方に設けられる投光部材３２において複数のＬＥＤ光源３７のうちのコネクタ３８に隣接する端部のＬＥＤ光源３７およびコネクタ３８の前方領域に光拡散部３２４を設けたので、コネクタ３８の前方が暗くなるのを防止できる。
【００４３】
また、複数のＬＥＤ光源３７が異なる種類の第１のＬＥＤ光源３７Ａおよび第２のＬＥＤ光源３７Ｂから構成される場合に、第１のＬＥＤ光源３７Ａおよび第２のＬＥＤ光源３７Ｂの両方の前方には光拡散部３２４を配設したので、第１のＬＥＤ光源３７Ａおよび第２のＬＥＤ光源３７Ｂが点灯した際に、端部でもきれいに混ざった光を配光できる。
【００４４】
さらに、本発明に係る第１実施形態の照明器具１０は、前述したＬＥＤユニット３０を用いたので、照明器具１０のコンパクト化を図ることができる。
また、投光部材３２において複数のＬＥＤ光源３７のうちのコネクタ３８に隣接する端部のＬＥＤ光源３７およびコネクタ３８の前方領域に光拡散部３２４を設けたので、コネクタ３８の前方が暗くなるのを防止できる。
【００４５】
（第２実施形態）
次に、本発明に係る第２実施形態の照明器具について、図面を用いて説明する。
なお、前述した第１実施形態にかかる照明器具と共通する部位には同じ符号を付して、重複する説明を省略することとする。
【００４６】
図１３に示すように、ＬＥＤ基板３６Ｂの実装面３６１Ｂには、種類が異なる複数の第１のＬＥＤ光源３７１Ａと複数の第２のＬＥＤ光源３７１Ｂが実装されている。例えば、第１のＬＥＤ光源３７１Ａを昼白色とし、第２のＬＥＤ光源３７１Ｂを電球色とすることができる。なお、２種類のＬＥＤ光源３７１Ａ、３７１Ｂを総称する際には、「ＬＥＤ光源３７１」と表示する。
このロアーユニット３０Ｂでは、複数の第１のＬＥＤ光源３７１Ａは、第１の回路３９Ａにより直列に接続されている。また、複数の第２のＬＥＤ光源３７１Ｂは、第１のＬＥＤ光源３７１Ａとは別系統で、第２の回路３９Ｂにより直列に接続されている。
従って、第１のＬＥＤ光源３７１Ａと第２のＬＥＤ光源３７１Ｂは、個別に制御可能となっている。
【００４７】
第１のＬＥＤ光源３７１Ａと第２のＬＥＤ光源３７１Ｂは、各々偶数個または奇数個（１個を含む）をひとかたまりとして、交互に配置されている。
例えば、図１３中、主に２個（偶数個）の第１のＬＥＤ光源３７１Ａと２個の第２のＬＥＤ光源３７１Ｂが交互に配置されているが、途中に１個（奇数個）の第２のＬＥＤ光源３７１Ｂ２のみ配置されている箇所がある。
図１４には、一例として図１３で示した配置のＬＥＤ光源３７１の配線例（例えば１０畳用）が示されている。すなわち、中央部に配置されている１個の第２のＬＥＤ光源３７１Ｂ２を除いて、ＬＥＤ光源３７１は２個ずつ配置される。
【００４８】
図１５には、別の例として例えば１２畳用の照明器具に用いられるロアーユニット３０Ｂが示されている。
このロアーユニット３０Ｂでは、コネクタ３８の内側（長手方向中心側）には、１個の第１のＬＥＤ光源３７１Ａ２と１個の第２のＬＥＤ光源３７１Ｂ２が設けられている。また、長手方向中央部には、１個の第２のＬＥＤ光源３７１Ｂ２を配置している。
なお、ＬＥＤ光源３７１を１個（奇数）にする場所は特に限定するものではない。
【００４９】
以上、説明した本発明に係る第２実施形態のＬＥＤユニット３０Ｂによれば、奇数または偶数の第１のＬＥＤ光源３７１Ａと奇数または偶数の第２のＬＥＤ光源３７１Ｂとを交互に配置したので、ＬＥＤ光源３７１の配置の自由度が増す。
【００５０】
なお、本発明のＬＥＤユニット３０および照明器具１０は、前述した実施形態に限定されるものでなく、適宜な変形，改良等が可能である。
例えば、前述した実施形態においては、アッパーユニット３０Ａとロアーユニット３０Ｂとに同じＬＥＤユニット３０を用いた場合について説明したが、基本的な構造が同じであれば、サイズ等が異なるものであっても良い。
【符号の説明】
【００５１】
１０  照明器具
３０  ＬＥＤユニット
３６、３６Ｂ  ＬＥＤ基板（基板）
３７Ａ、３７１Ａ  第１のＬＥＤ光源
３７Ｂ、３７１Ｂ  第２のＬＥＤ光源
３９Ａ  第１の回路（配線）
３９Ｂ  第２の回路（配線）
【図１】
2012169245.tif 000003
【図２】
2012169245.tif 000004
【図３】
2012169245.tif 000005
【図４】
2012169245.tif 000006
【図５】
2012169245.tif 000007
【図６】
2012169245.tif 000008
【図７】
2012169245.tif 000009
【図８】
2012169245.tif 000010
【図９】
2012169245.tif 000011
【図１０】
2012169245.tif 000012
【図１１】
2012169245.tif 000013
【図１２】
2012169245.tif 000014
【図１３】
2012169245.tif 000015
【図１４】
2012169245.tif 000016
【図１５】
2012169245.tif 000017
【図１６】
2012169245.tif 000018